(57)【要約】【課題】  加齢や腰痛・妊婦も含めお尻拭きが困難な人が、他人の世話にならず自分の手で始末できることは万民の願いである。本発明は、健常者を含め、全ての人が楽に安全に衛生的に使えるお尻拭き補助具を提供する。【解決手段】  縦長棒状板に角度１３０度程度の傾斜をつけ縦長角材を取り付け、縦長棒状板の左側面部にトイレットペーパー排出ノブを設け、縦長角材の左側面部に可動式トイレットペーパー排出アームを設け、可動アーム引き紐でつなぐ。可動式トイレットペーパー排出アームの先端部に排出アーム先端突起を設け、排出アーム上部と縦長角材の根本左側面部を可動アーム戻しゴムでつなぎ、縦長角材の先端部にブラシ土台板とその上に半円筒状のブラシを取り付け、中央左右両側面部にトイレットペーパーストッパーリングを設けたお尻拭き補助具。【選択図】図１
2020093023.tif 000002
【特許請求の範囲】
【請求項１】
縦長棒状板の下方端部に角度１３０度程度の傾斜をつけ縦長角材を取り付け、縦長棒状板の左側面部にトイレットペーパー排出ノブを取り付け、縦長角材の左側面部に可動式トイレットペーパー排出アームを取り付け、トイレットペーパー排出ノブとトイレットペーパー排出アームを可動アーム引き紐でつなぎ、可動式トイレットペーパー排出アームの先端部に排出アーム先端突起を設け、可動式トイレットペーパー排出アームの上部と縦長角材根本左側面部を可動アーム戻しゴムでつなぎ、縦長角材先端部にブラシ土台板を設け、その上に半円筒状のブラシを取り付け、縦長角材の中央左右両側面部にトイレットペーパーストッパーリングを設けたお尻拭き補助具。
【発明の詳細な説明】
【技術分野】
【０００１】  本発明は、加齢・腰痛等によりお尻拭きが困難な人が、ウォシュレット等でお尻を水で洗浄後、自分の手でお尻を拭けるよう補助するお尻拭き補助具に関するものである。
【背景技術】
【０００２】  従来、お尻拭きが困難な人の補助具として、特許文献１・特許文献２・特許文献３の３つがあるが、特許文献１においては、塵紙を挟着部で堅固に挟み、上挟持体と下挟持体の端部をもって処理する、特許文献２においては、先端部にトイレットペーパーを巻き取るための突起部を設け、ストッパー部を設けた伸縮性柄部材からなる携帯用お尻拭き、特許文献３においては、トイレットペーパーをブラシ部に巻き付け最後に、その端部を挟み止め部に挿入係止し保持させる。
これらが知られていた。
【先行技術文献】
【特許文献】
【０００３】
【特許文献１】特開  ２００５−５２１７１号公報
【特許文献２】実用新案登録第３１１２８７２号公報
【特許文献３】特許第５９６１７８３号公報
【発明の概要】
【発明が解決しようとする課題】
【０００４】  加齢や腰痛・妊婦も含め、お尻拭きが困難な人が、他人の世話にならず自分の手で始末できることは万民の願いである。最近のお尻洗い器で、洗浄・風での乾燥まで出来るようになったが、やはりトイレットペーパーでのお尻拭きは不可欠となっている。先行技術では、特許文献１においては、塵紙を挟着部で挟みお尻拭きを行うが、挟着部自体がお尻を傷つける危険性があり、挟着部の露出部分でお尻を傷つけないように最新の注意を払い取り扱いしなければならない。特許文文献２・特許文献３においては、先端ブラシ部分にトイレットペーパーを巻き付けなければならず、きれいに巻き付けるための手間と時間を要し面倒である。又、お尻拭き後のトイレットペーパーは、自分の手で先端ブラシから外さなければならず、外す手間に加え、お尻拭き後の汚れたトイレットペーパーが手に触れる可能性があり、非常に衛生面にも問題があった。
本発明は、以上の問題点を解決するためになされたものである。
【課題を解決するための手段】
【０００５】  縦長棒状板の本体（１）の下方端部に角度１３０度をつけ、縦長角材の本体（２）を取り付ける。本体（１）の左側面部にトイレットペーパー排出ノブを取り付け、本体（２）の左側面部に可動式トイレットペーパー排出アームを取り付ける。トイレットペーパー排出ノブ下方端部と可動式トイレットペーパー排出アーム下方端部は、可動アーム引き紐でつなぎ、排出ノブ引き方向の動作で可動式トイレットペーパー排出アームが可動排出アーム回転方向へ動き、トイレットペーパーを補助具から振り落とせるようにする。可動式トイレットペーパー排出アームの先端部に排出アーム先端突起を設け、可動式トイレットペーパー排出アームの上部と本体（２）の根本左側面を可動アーム戻しゴムでつなぐ。本体（２）の先端部にブラシ土台板を設け、その上を覆いかぶすように半円筒状のブラシを取り付ける。本体（２）の中央左右両側面部にトイレットペーパーストッパーリングを設ける。
以上の構成よりなるお尻拭き補助具。
【発明の効果】
【０００６】  上述の解決手段により、加齢や腰痛・妊婦も含めお尻拭きが困難な人が自分の手で容易にお尻拭きができる。柔軟性のあるブラシを使用することでお尻を傷つけることが無くなり、トイレットペーパーは普段通り使用している折りたたんだ状態で使え、ブラシ部分に巻き付ける手間と時間を無くした。又、お尻拭き取り後の汚れたトイレットペーパーは、排出ノブを引くワンタッチ動作で補助具から振り落とせることで、面倒な外す手間が無くなり、直接手を触れないことによる非常に衛生的な効果が生み出された。
【図面の簡単な説明】
【０００７】
【図１】  本発明の斜視図
【図２】  本発明のトイレットペーパーセット状態を示す斜視図
【図３】  本発明のトイレットペーパー振り落とし状態を示す斜視図
【図４】  本発明の図３の拡大斜視図
【図５】  本発明の先端部の斜視図
【図６】  本発明の先端部のトイレットペーパーセット状態を示す斜視図
【図７】  本発明の先端部のトイレットペーパー振り落とし状態を示す斜視図
【発明を実施するための形態】
【０００８】  以下、本発明の実施の形態を説明する。
（イ）縦長棒状板の本体（１）の下方端部に一例として角度１３０度の傾斜を持たせた縦長角材の本体（２）をビス又は強力接着剤で固定取り付ける。本体（１）の左側面部にトイレットペーパ排出ノブ（３）を排出ノブ回転軸（１０）でトイレットペーパ排出ノブ（３）が回転できるように固定する。
（ロ）本体（２）の左側面先端部に可動式トイレットペーパー排出アーム（４）を可動排出アーム回転軸（１１）で可動式トイレットペーパー排出アーム（４）が回転できるように固定する。トイレットペーパ排出ノブ（３）の下方端部と可動式トイレットペーパー排出アーム（４）の下方端部は、可動アーム引き紐（８）でつなぎ、トイレットペーパー排出ノブ（３）を排出ノブ引き方向（ａ）の動作で可動式トイレットペーパー排出アーム（４）が可動排出アーム回転方向（ｂ）へ動き、トイレットペーパーを補助具から振り落とせるようにする。
（ハ）可動式トイレットペーパー排出アーム（４）の上部先端部に排出アーム先端突起（５）を設け、可動式トイレットペーパー排出アーム（４）の上部と本体（２）の根本近くの左側面部とを可動アーム戻しゴム（９）でつなぐ。
（ニ）本体（２）の先端部にブラシ土台（１２）を設け、その上を覆いかぶすようにブラシ（６）を取り付ける。
ブラシ（６）は、トイレットペーパー（Ｃ）を直に乗せる土台となるもので、お尻を拭く際、トイレットペーパー（Ｃ）の下でクッションの役割をはたし、優しくお尻を拭くことができる。且つ濡れたり汚れたりしても拭き取りやすく、柔軟性に優れた軟質塩化ビニール等の材質でブラシ土台（１２）の上に強力接着剤で固定されている。
（ホ）本体（２）の中央左右両側面部にトイレットペーパーを固定するためのトトイレットペーパーストッパーリング（７）を設ける。
本発明は、以上のような構造である。
【０００９】本発明を使用するときは、トイレで普段通り使用している折りたたんだトイレットペーパー（Ｃ）を図２で示すようにブラシ（６）の上に覆いかぶせるように乗せ、後部両端部を左右のトイレットペーパーストッパーリング（７）にトイレットペーパー（Ｃ）を上から押し入れる方向（ｅ）のように軽く押し入れる。狭いトイレットペーパーストッパーリング（７）に押し入れたトイレットペーパー（Ｃ）は、リング内で広がろうとする弾力が働き、リングの内側に密着し、リング内で軽く固定された状態になる。これでトイレットペーパーの補助具への固定は充分である。本体（１）の上部を握りお尻を拭く。
本体（１）と本体（２）には角度１３０度程度の傾斜を持たせることで、本体（１）の上部を握りお尻を拭く際、座った状態でブラシ（６）位置とお尻の位置とが適合し、楽にお尻拭きができるようになる。お尻を拭き終わった後、トイレットペーパ排出ノブ（３）を排出ノブ引き方向（ａ）に引くと可動アーム引き紐（８）で、可動式トイレットペーパ排出アーム（４）が可動式排出アーム回転方向（ｂ）の方向に動き可動式トイレットペーパー排出アーム（４）の上部先端部に取り付けた排出アーム先端突起（５）が、上に乗っている折りたたんだトイレットペーパー（Ｃ）を補助具からトイレットペーパー振り落とし方向（ｄ）に振り落とす。トイレットペーパー（Ｃ）の固定から振り落としの一連の流れは図６、図７で示す通りトイレットペーパー（Ｃ）はトイレットペーパーストッパーリング（７）に軽く固定されているだけなので、トイレットペーパー（Ｃ）の下に位置している可動式トイレットペーパー排出アーム（４）が上方向に動くことにより、トイレットペーパーストッパーリング（７）から外れ、補助具から振り落とされる。振り落とされたトイレットペーパー（Ｃ）はそのままトイレに流せる。トイレットペーパーをトイレに流した後、トイレットペーパー排出ノブ（３）を放すと可動アーム戻しゴム（９）の戻し力で可動式トイレットペーパー排出アーム（４）は元の位置に戻る。
本発明により、トイレットペーパーを巻いたり外したりの不便さが解消され、座ったまま楽にお尻が拭け、又ワンタッチで手を触れずにお尻拭きの終わったトイレットペーパーをトイレに流すことができる。特にお尻拭きの終わったトイレットペーパーに手を触れずに流せる機能は衛生面で非常に優れており、お尻拭きが困難な人のみならず健常者や子供も含め全ての人に使ってもらえるメリットがある。
【符号の説明】
【００１０】１  本体、２  本体、３  トイレットペーパー排出ノブ、４  可動式トイレットペーパー排出アーム、５  排出アーム先端突起  ６  ブラシ、７  トイレットストッパーリング（左右一対）、８  可動アーム引き紐９  可動アーム戻しゴム、１０  排出ノブ回転軸、
１１  可動排出アーム回転軸、１２  ブラシ土台板、１３  本体（１）と本体（２）の傾き、１４  排出ノブ引き紐結び穴、１５  可動アーム引き紐結び穴、
ａ  排出ノブ引き方向、ｂ  可動排出アーム回転方向、ｃ  折りたたんだトイレットペーパー、ｄ  トイレットペーパーの振り落とし方向、ｅ  トイレットペーパーを上から押し入れる方向、ｆ  引き紐の動き方向
【図１】
2020093023.tif 000003
【図２】
2020093023.tif 000004
【図３】
2020093023.tif 000005
【図４】
2020093023.tif 000006
【図５】
2020093023.tif 000007
【図６】
2020093023.tif 000008
【図７】
2020093023.tif 000009